(57)【要約】【課題】リードフレームとインターポーザを使用した高放熱半導体装置とリードフレームの両面に半導体素子を搭載したマルチチップ型半導体装置の両方の機能を兼ね備えた半導体装置を得る。【解決手段】リードフレームの上下に接着層を介して第一半導体素子と第二半導体素子とを搭載し、第一半導体素子と第二半導体素子とをインターポーザと電気的に接続させ、インターポーザ上面をモールドした半導体装置であって、リードフレームには複数の孔を設け、第一半導体装置とインターポーザの接続にワイヤを用い、第二半導体装置とインターポーザの接続にバンプを用い、第一半導体装置とインターポーザの接続に用いるワイヤは、リードフレームに設けられた孔を通って接続されているものである。【選択図】図２
2007208159.tif 000002
【特許請求の範囲】
【請求項１】
リードフレームの上下に接着層を介して第一半導体素子と第二半導体素子とを搭載し、前記第一半導体素子と第二半導体素子とをインターポーザと電気的に接続させ、インターポーザ上面をモールドした半導体装置において、
前記第一半導体素子と第二半導体素子の電気信号をインターポーザ下面に設置された接続部材によって外部基板に電気的に接続されていることを特徴とする半導体装置。
【請求項２】
請求項１記載の半導体装置において、
前記第一半導体装置とインターポーザの接続にワイヤを用い、前記第二半導体装置とインターポーザの接続にバンプを用いたことを特徴とする半導体装置。
【請求項３】
請求項１記載の半導体モジュールにおいて、
前記リードフレームに一つもしくは複数の孔を有することを特徴とする半導体装置。
【請求項４】
請求項２記載の半導体モジュールにおいて、
前記第一半導体装置とインターポーザの接続に用いるワイヤは、前記リードフレームに設けられた孔を通って接続されていることを特徴とする半導体装置。
【請求項５】
請求項１記載の半導体モジュールにおいて、
インターポーザに第二半導体素子と同等な大きさの開口部を有し、外部基板と電気的に接続する接続部材をインターポーザ下面と第二半導体素子の回路形成面に設けたことを特徴とする半導体装置。
【発明の詳細な説明】
【技術分野】
【０００１】
本発明は、半導体装置に係り、特にリードフレームの両面に半導体素子を搭載するマルチチップ型半導体装置に関する。
【背景技術】
【０００２】
近年、半導体装置の高密度化、小型化への要求に対して、１つの方法として二つの半導体素子をリードフレームの表裏に搭載し各インナリードと半導体素子をワイヤボンディングにより接続する特許文献１のような構造が提案されている。
【０００３】
また、半導体素子は、年々発熱量が増加する傾向にあり放熱性向上の要求も高まってきた。そこで高密度化、小型化、高放熱性化の要求に対して特許文献２のような構造が提案されている。特許文献２によると、リードフレームに張り合わされた金属板の片面に第一の半導体素子を設けインナリードとワイヤにより接続する。そして、金属板の一方にも第二の半導体素子を搭載し、その第二の半導体素子の回路形成面に配線テープを設けワイヤにより接続し、外部基板と配線テープの接続にバンプを設けている構造となっている。特許文献２の構造とすることにより、高密度化、高放熱化が図れることが記載されている。
【０００４】
【特許文献１】特開平８−１９１１２９号公報
【特許文献２】特開２００２−１２４６２３号公報
【発明の開示】
【発明が解決しようとする課題】
【０００５】
しかし、特許文献１の方法では、金属に比べて熱伝導率が低いモールド樹脂からの放熱とワイヤ、インナリード、アウタリードと伝わる熱伝導率は高いが放熱経路が狭い経路しかなく高発熱の半導体素子の搭載には不向きな構造であった。
【０００６】
また、特許文献２の方法では、金属板で熱を広げているが信号線であるインナリード、アウタリードからの放熱経路は狭く、且つ第二の半導体素子の回路形成面に金属に比べて熱伝導率の低い配線テープを介してバンプがあるために放熱性に限界があった。
【０００７】
本発明の目的は、上記した従来技術の欠点を解消し、半導体素子を搭載している放熱リードを外部基板に直接接続することにより、高放熱性な高密度の半導体装置を提供することにある。
【課題を解決するための手段】
【０００８】
本発明の半導体装置は、リードフレームの上下に接着層を介して第一半導体素子と第二半導体素子とを搭載し、前記第一半導体素子と第二半導体素子とをインターポーザと電気的に接続させ、インターポーザ上面をモールドした半導体装置であって、前記リードフレームには一つもしくは複数の孔を設け、前記第一半導体装置とインターポーザの接続にワイヤを用い、前記第二半導体装置とインターポーザの接続にバンプを用い、前記第一半導体装置とインターポーザの接続に用いるワイヤは、前記リードフレームに設けられた孔を通って接続されているものである。
【発明の効果】
【０００９】
本発明では複数の半導体素子を搭載した構造にすることにより高密度化、リードフレームを用いて直接外部基板に放熱することができるので高放熱化が図ることができる。
【発明を実施するための最良の形態】
【００１０】
以下、本発明の実施の形態を説明する。
【００１１】
図１は本発明の第一の実施例の断面模式図である。リードフレーム１の上面には第一半導体素子２が回路形成面を上にして接着剤層（図示せず）を介して搭載され、リードフレーム１の下面には第二半導体素子３が回路形成面を下にして接着剤層（図示せず）を介して搭載されている。また、第一半導体素子２はワイヤ４を介してインターポーザ５と電気的に接続されており、第二半導体素子３はバンプ６を介してインターポーザ５と電気的に接続されている。さらに、インターポーザ５の上面はモールド樹脂7で保護されており、インターポーザ5の下面には外部基板(図示せず)との接続用に外部接続用バンプ８が設けられている。リードフレーム１は、第一半導体素子２と第二半導体素子３で発生する熱を外部基板に逃がすために外部基板と接着部材を介して接続しやすいように通常の半導体装置のアウタリードのように曲折した構造になっている。なお、バンプ６、外部接続用バンプ８の材料にははんだや導電性接着剤などを用いる。
【００１２】
図２は本発明の第一の実施例の平面模式図である。モールド樹脂７は内部構造を見やすくするために図示せず、その代わり封止するエリアを点線で表している。リードフレーム１には孔９が設けられており、ワイヤ４は孔９の中を通って第一半導体素子２とインターポーザ５を接続している。孔９は、大きくすると熱の逃げる経路が少なくなり放熱性が低下するためワイヤ９を通す必要最低限の大きさにすることが重要である。
【００１３】
図３は本発明の第一の実施例の外部基板に搭載された時の断面模式図である。リードフレーム１ははんだ１０を介して外部基板１１に接続されている。リードフレーム１が接続される外部基板１１の箇所には、基板内でさらに熱を拡散、放熱するために対策を採ることは言うまでもない。また、本発明ははんだによりリードフレーム１と外部基板１１とを接続する方法で説明したが、導電性接着剤を用いても良いことは言うまでもない。
【００１４】
上記のように構成することにより、２つの半導体素子を1つの半導体装置に内蔵することにより高密度化が図れ、また半導体素子の熱はリードフレームを用いて直接基板に放熱させることができるので放熱性の向上を図ることができる。さらに、孔を通してリードフレーム上下のモールド樹脂が密着するのでリードフレーム上下の樹脂間の密着性が向上し信頼性を向上させることができる。
【００１５】
図４は本発明の第二の実施例の断面模式図である。インターポーザ５には第二半導体素子３とほぼ同等な大きさで開口部１２があり、その開口部１２から第二半導体素子３の回路形成面が露出しており、外部接続用バンプ８はインターポーザ５の下面と第二半導体素子３の回路形成面上に接続されている構造になっている。
【００１６】
上記のように構成することにより、第二半導体素子の熱を外部基板に直接逃がすことができるので第一の実施例に比べて放熱性が向上することができる。
【図面の簡単な説明】
【００１７】
【図１】本発明の第一の実施例の半導体装置の断面模式図である。
【図２】本発明の第一の実施例の半導体装置の平面模式図である。
【図３】本発明の第一の実施例の外部基板に搭載されて時の半導体装置の断面模式図である。
【図４】本発明の第二の実施例の半導体装置の断面模式図である。
【符号の説明】
【００１８】
１…リードフレーム、２…第一半導体素子、３…第二半導体素子、４…ワイヤ、５…インターポーザ、６…一層目薄膜、９…孔、１２…開口部。
【図１】
2007208159.tif 000003
【図２】
2007208159.tif 000004
【図３】
2007208159.tif 000005
【図４】
2007208159.tif 000006